(57)【要約】      （修正有）【課題】手提げ袋に変換可能な郵送用封筒に関し、特に郵送用封筒として使用した後で容易に手提げ袋として使用できるように構成した経済効果の高い実利的なエコ商品を提供する。【解決手段】ポリプロピレン、ポリエチレン、ポリエチレンテレフタレート等からなるプラスチックフィルムによって形成された袋体の袋体表面部１０の上方内側の糊しろ部４に両面粘着テープ５を備え、袋体内に書簡等の収容物を入れて、該糊しろ部を折り返して下段の糊しろ部３に当接させ、両面粘着テープ表面の離型紙を剥がし、粘着させることにより郵送用封筒として使用する。また、郵送用封筒としての使用後はマイクロミシン目６から糊しろ部を離脱させ、手提げ袋として利用できるように袋体背面部１に設けられた手提げ用穴２に、袋体表面部１０に形成された折り返し部が挿通され、手提げ時に使用者の指を保護するように構成して手提げ袋に変換可能な郵送用封筒を構成する。【選択図】図１
0003163689.tif 000002
【実用新案登録請求の範囲】
【請求項１】
ポリプロピレン、ポリエチレン、ポリエチレンテレフタレート等からなるプラスチックフィルムによって形成された袋体の袋体背面部の上方内側の糊しろ部に両面粘着テープを備え、袋体内に書簡等の収容物を入れて、該糊しろ部を折り返して下段の糊しろ部に当接させ、両面粘着テープ表面の離型紙を剥がし、粘着させることにより郵送用封筒として使用でき、郵送用封筒としての使用後はマイクロミシン目から糊しろ部を離脱させ、手提げ袋として利用できるように構成したことを特徴とする手提げ袋に変換可能な郵送用封筒。
【請求項２】
袋体表面部に設けられた手提げ用穴に、袋体背面部に形成された折り返し部が挿通され手提げ時に使用者の指を保護するように構成されたことを特徴とする請求項１記載の手提げ袋に変換可能な郵送用封筒。
【考案の詳細な説明】
【技術分野】
【０００１】  本考案は手提げ袋に変換可能な郵送用封筒に関し、特に郵送用封筒として使用した後で容易に手提げ袋として使用できるように構成した経済効果の高い実利的なエコ商品を提供するものである。
【背景技術】
【０００２】  従来、環境活動（エコロジー）の一環として、いわゆるエコバッグ等の商品が考案されている。例えばひとつの商品でも異なる用途に二度使用できるもので、用途の拡大による経済効果等を主張するものである。先願の公報としては、例えば登録実用新案第３１１２７３３や登録実用新案第３１１５７１０等を挙げることができる。
【先行技術文献】
【０００３】
【特許文献１】  登録実用新案第３１１２７３３公報
【特許文献２】  登録実用新案第３１１５７１０公報
【考案の概要】
【考案が解決しようとする課題】
【０００４】  前記した登録実用新案第３１１２７３３公報『ファイルに変換できる手提げ袋』は、合成樹脂製の手提げ袋として使用した後は、ファイルとして使用できるように、逆Ｌ字状のミシン目から離脱可能にしたものである。
また、前記した登録実用新案第３１１５７１０公報『クリアファイル手提げ袋』は、前記の登録実用新案第３１１２７３３公報『ファイルに変換できる手提げ袋』と同じように合成樹脂製の手提げ袋として使用した後はクリアファイルとして使用できるものである。【０００５】  しかしながら、上記する先行技術文献は、いずれもその使用順序が最初に手提げ袋であって、次いでミシン目より分離してクリアファイルとして使用するものであった。【０００６】  したがって、最初に手提げ袋として使用する際、形状が不特定の物品である場合は、手提げ袋としての形状は表裏に不特定の形状が残存してしまうことになり、平面状できれいな書類等を保持するためのクリアファイルとしては外観上好ましくない状態となってしまうので大切な書類等を見間違ってしまうなどの課題が生じるものであった。
【課題を解決するための手段】
【０００７】  前記せる課題に対し、本考案の場合は最初に使用するのが郵送用封筒としての用途であり、郵送物を受け取った人はマイクロミシン目から糊しろ部を離脱させ、手提げ袋として利用できるように構成したものであって、前記せるような内容物の不特定の形状が残存するものではなく、平面的な書類やカタログ等を入れても何ら見劣りのするものではなく、また、仮に不特定形状の物品を入れても本考案の場合は最終的に使用する用途が手提げ袋であるので、先に記載した先行技術文献のような問題は生じない。【０００８】  すなわち、本考案はポリプロピレン、ポリエチレン、ポリエチレンテレフタレート等からなるプラスチックフィルムによって形成された袋体の袋体表面部の上方内側の糊しろ部に両面粘着テープを備え、袋体内に書簡等の収容物を入れて、該糊しろ部を折り返して下段の糊しろ部に当接させ、両面粘着テープ表面の離型紙を剥がし、粘着させることにより郵送用封筒として使用でき、郵送用封筒としての使用後はマイクロミシン目から糊しろ部を離脱させ、手提げ袋として利用できるように構成したことを特徴とし、且つ、袋体背面部に設けられた手提げ用穴に、袋体表面部に形成された折り返し部が挿通され、手提げ時に使用者の指を保護するように構成した手提げ袋に変換可能な郵送用封筒を提供するものである。
【考案の効果】
【０００９】  本考案は以上説明したような内容であるので、特に郵送用封筒として使用した後で容易に手提げ袋として使用できるように構成した経済効果の高い実利的なエコ商品と言える。
【図面の簡単な説明】
【００１０】
【図１】本考案の手提げ袋に変換可能な郵送用封筒の斜視図である。
【図２】手提げ袋に変換可能な郵送用封筒の密封状態の斜視図である。
【図３】手提げ袋に変換可能な郵送用封筒のマイクロミシン目から切り離した状態の斜視図である。
【図４】図３のＡ−Ａ線断面図である。
【図５】手提げ袋に変換可能な郵送用封筒を手提げ袋に変換した斜視図であり、手提げ袋としての使用状態を示している。
【考案を実施するための形態】
【００１１】  以下、図面に示す実施例に基づき、本考案の具体的な構成を説明する。
図１は本考案の手提げ袋に変換可能な郵送用封筒の斜視図である。図２は手提げ袋に変換可能な郵送用封筒の密封状態の斜視図である。図３は手提げ袋に変換可能な郵送用封筒のマイクロミシン目から切り離した状態の斜視図である。図４は図３のＡ−Ａ線断面図である。図５は手提げ袋に変換可能な郵送用封筒を手提げ袋に変換した斜視図であり、手提げ袋としての使用状態を示している。
【００１２】  本考案は、ポリプロピレン、ポリエチレン、ポリエチレンテレフタレート等からなるプラスチックフィルムによって形成された袋体の袋体表面部１０の上方内側の糊しろ部４に両面粘着テープ５を備え、袋体内に書簡等の収容物を入れて、該糊しろ部４を折り返して下段の糊しろ部３に当接させ、両面粘着テープ５の表面の離型紙を剥がし、粘着させることにより郵送用封筒として使用でき、郵送用封筒としての使用後はマイクロミシン目６から糊しろ部３，４を離脱させ、手提げ袋として利用できるように構成されている。
【００１３】  また、袋体背面部１に設けた手提げ用穴２に、袋体表面部１０に形成された折り返し部１１が挿通され、図４乃至図５に示すように手提げ時に使用者の指７を保護するように構成されている。
【産業上の利用可能性】
【００１４】  本考案は手提げ袋に変換可能な郵送用封筒に関し、特に郵送用封筒として使用した後で容易に手提げ袋として使用できるように構成したものであるから、経済効果の高い実利的なエコ商品として提供されるものであり、産業上の利用可能性の高いものである。
【符号の説明】
【００１５】１  袋体背面部
２  手提げ用穴
３  糊しろ部
４  糊しろ部
５  両面粘着テープ
６  マイクロミシン目
７  指
１０  袋体表面部
１１  折り返し部
【図１】
0003163689.tif 000003
【図２】
0003163689.tif 000004
【図３】
0003163689.tif 000005
【図４】
0003163689.tif 000006
【図５】
0003163689.tif 000007